(57)【要約】      （修正有）【課題】圧電基板の厚みを精度よく均一にした複合基板を提供する。【解決手段】複合基板１０の製法は、（ａ）支持基板１４の所定の外周箇所Ｐに偏荷重をかけた状態で支持基板１４の一方の面１４ａを研磨することにより、その一方の面１４ａを他方の面１４ｂに対して傾斜した傾斜面１４ｃとする工程と、（ｂ）支持基板１４の傾斜面１４ｃに圧電基板１２を接合して貼り合わせ基板１６とする工程と、（ｃ）貼り合わせ基板１６の圧電基板１２のうち支持基板１４の傾斜面１４ｃと接合している面１２ａとは反対側の露出面１２ｂが支持基板１４の他方の面１４ｂと平行になるように圧電基板１２を加工する工程と、（ｄ）貼り合わせ基板１６のうち支持基板１４の所定の外周箇所Ｐに偏荷重をかけた状態で圧電基板１２の厚みが均一になるように圧電基板１２を研磨して複合基板１０を得る工程と、を含む。【選択図】図１
2015159499.tif 000002
【特許請求の範囲】
【請求項１】
（ａ）支持基板の所定の外周箇所に偏荷重をかけた状態で前記支持基板の一方の面を研磨することにより、前記一方の面を他方の面に対して傾斜した傾斜面とする工程と、
（ｂ）前記支持基板の傾斜面に圧電基板を接合して貼り合わせ基板とする工程と、
（ｃ）前記貼り合わせ基板の前記圧電基板のうち前記支持基板の傾斜面と接合している面とは反対側の露出面が前記支持基板の他方の面と平行になるように前記圧電基板を加工する工程と、
（ｄ）前記貼り合わせ基板のうち前記支持基板の前記所定の外周箇所に偏荷重をかけた状態で前記圧電基板の厚みが均一になるように前記圧電基板を研磨する工程と、
を含む複合基板の製法。
【請求項２】
前記工程（ａ）では、研磨定盤と基板キャリアとの間に前記支持基板を挟み込み、該支持基板と前記研磨定盤との間に研磨砥粒を含むスラリーを供給し、前記基板キャリアに載せた錘により前記支持基板の前記所定の外周箇所に偏荷重をかけた状態で、前記基板キャリアにより前記支持基板を前記研磨定盤に押し付けながら前記基板キャリアを自転運動させて研磨を行う、
請求項１に記載の複合基板の製法。
【請求項３】
前記工程（ｂ）では、前記支持基板の傾斜面に圧電基板を有機接着剤を介して接合するか直接接合により接合して貼り合わせ基板とする、
請求項１又は２に記載の複合基板の製法。
【請求項４】
前記工程（ｃ）では、前記圧電基板をグラインダーで研削するか又はグラインダーで研削したあとラップ研磨する、
請求項１〜３のいずれか１項に記載の複合基板の製法。
【請求項５】
前記工程（ｄ）では、研磨定盤と基板キャリアとの間に前記圧電基板が前記研磨定盤に接触するように前記貼り合わせ基板を挟み込み、該貼り合わせ基板と前記研磨定盤との間に研磨砥粒を含むスラリーを供給し、前記基板キャリアに載せた錘により前記所定の外周箇所に偏荷重をかけた状態で、前記基板キャリアにより前記貼り合わせ基板の前記圧電基板を前記研磨定盤に押し付けながら前記基板キャリアを自転運動させて研磨を行う、
請求項１〜４のいずれか１項に記載の複合基板の製法。
【請求項６】
一方の面が他方の面に対して傾斜した傾斜面である支持基板と、
前記傾斜面に接合された厚さが均一な圧電基板と、
を備えた複合基板。
【発明の詳細な説明】
【技術分野】
【０００１】
本発明は、複合基板の製法及び複合基板に関する。
【背景技術】
【０００２】
従来より、種々の弾性波デバイスが知られている。弾性波デバイスには、携帯電話等に使用されるフィルタ素子や発振子として機能させることができる弾性表面波デバイスなどのほか、圧電薄膜を用いたラム波素子、同じく圧電薄膜を用いた薄膜共振子（ＦＢＡＲ：Film Bulk Acoustic Resonator）などがある。例えば、弾性表面波デバイスは、以下のように製造される。まず、弾性波を伝搬させる圧電基板とこの圧電基板よりも小さな線熱膨張係数を持つ支持基板とを接合した数インチの大きさの複合基板を作成し、次に、その複合基板にフォトリソグラフィ技術を用いて多数の櫛歯電極を形成し、その後、ダイシングにより所定のサイズに切り出して弾性表面波デバイスとする。この製造方法では、複合基板を利用することにより、温度が変化したときの圧電基板の大きさの変化が支持基板によって抑制されるため、弾性波デバイスとしての周波数特性が安定化する。複合基板の製法としては、圧電基板と支持基板とを接着剤によって貼り合わせたあと、圧電基板を薄板化する方法が知られている（例えば特許文献１参照）。
【先行技術文献】
【特許文献】
【０００３】
【特許文献１】特開２００９−２７８６１０号公報
【発明の概要】
【発明が解決しようとする課題】
【０００４】
複合基板の圧電基板を薄板化するにあたっては、ＣＭＰ（化学機械研磨）を利用することが多い。その場合、圧電基板の厚みを精度よく制御するには、圧力や速度、スラリー量などの加工条件を調整する。
【０００５】
しかしながら、加工条件を揃えただけでは、精度よく圧電基板の厚みを均一にすることが難しく、圧電基板の中心部が凹形状になったり凸形状になったりして厚みのバラツキが生じることがあった。こうした厚みのバラツキは、圧電基板と支持基板とを接合したときの残留応力や加工中に発生する熱応力などが原因と考えられる。
【０００６】
本発明はこのような課題を解決するためになされたものであり、複合基板の圧電基板の厚みを精度よく均一にすることを主目的とする。
【課題を解決するための手段】
【０００７】
本発明の複合基板の製法は、
（ａ）支持基板の所定の外周箇所に偏荷重をかけた状態で前記支持基板の一方の面を研磨することにより、前記一方の面を他方の面に対して傾斜した傾斜面とする工程と、
（ｂ）前記支持基板の傾斜面に圧電基板を接合して貼り合わせ基板とする工程と、
（ｃ）前記貼り合わせ基板の前記圧電基板のうち前記支持基板の傾斜面と接合している面とは反対側の露出面が前記支持基板の他方の面と平行になるように前記圧電基板を加工する工程と、
（ｄ）前記貼り合わせ基板のうち前記支持基板の前記所定の外周箇所に偏荷重をかけた状態で前記圧電基板の厚みが均一になるように前記圧電基板を研磨する工程と、
を含むものである。
【０００８】
本発明の複合基板の製法の特徴は、偏荷重による形状変化がその他加工条件による形状変化より格段に大きいことを利用したことである。この複合基板の製法の工程（ａ）では、支持基板の所定の外周箇所に偏荷重をかけた状態で支持基板の一方の面を研磨する。この場合、支持基板のうち偏荷重がかかった所定の外周箇所の研磨量が多くなるため、所定の外周箇所付近の厚みが他の箇所に比べて薄くなる。その結果、支持基板の一方の面が他方の面に対して傾斜した傾斜面になる。工程（ｂ）では、支持基板の傾斜面に圧電基板を接合して貼り合わせ基板とし、工程（ｃ）では、圧電基板のうち接合面とは反対側の露出面を支持基板の他方の面と平行になるように加工する。その結果、貼り合わせ基板の一方の面と他方の面とが平行になる。また、圧電基板の接合面は露出面に対して傾斜した面となり、圧電基板は支持基板の所定の外周箇所に対応する箇所の付近の厚みが他の箇所に比べて厚くなる。工程（ｄ）では、貼り合わせ基板のうち支持基板の所定の外周箇所に偏荷重をかけた状態で圧電基板を研磨する。この場合、圧電基板のうち支持基板の所定の箇所に対応する厚みの厚い箇所は偏荷重がかかっているため、研磨量が多くなる。そのため、研磨するにつれて圧電基板の研磨面は接合面と平行に近づき、ついには圧電基板の厚みが均一になる。このように圧電基板の研磨を偏荷重をかけて行うため、偏荷重をかけない場合に比べて圧電基板を安定した状態で研磨することができ、ひいては圧電基板の厚さの分布を小さく抑えることができる。
【０００９】
本発明の複合基板の製法において、前記工程（ａ）では、研磨定盤と基板キャリアとの間に前記支持基板を挟み込み、該支持基板と前記研磨定盤との間に研磨砥粒を含むスラリーを供給し、前記基板キャリアに載せた錘により前記支持基板の前記所定の外周箇所に偏荷重をかけた状態で、前記基板キャリアにより前記支持基板を前記研磨定盤に押し付けながら前記基板キャリアを自転運動させて研磨を行うようにしてもよい。こうすれば、ＣＭＰにより効率よく支持基板の一方の面を研磨することができる。
【００１０】
本発明の複合基板の製法において、前記工程（ｂ）では、前記支持基板の傾斜面に圧電基板を有機接着剤を介して接合するか直接接合により接合して貼り合わせ基板としてもよい。いずれの接合方法で接合した場合でも、本発明の効果を得ることができる。
【００１１】
本発明の複合基板の製法において、前記工程（ｃ）では、前記圧電基板をグラインダーで研削してもよいし、グラインダーで研削したあとラップ研磨してもよい。こうすれば、比較的短時間で圧電基板の露出面を加工することができる。
【００１２】
本発明の複合基板の製法において、前記工程（ｄ）では、研磨定盤と基板キャリアとの間に前記圧電基板が前記研磨定盤に接触するように前記貼り合わせ基板を挟み込み、該貼り合わせ基板と前記研磨定盤との間に研磨砥粒を含むスラリーを供給し、前記基板キャリアに載せた錘により前記所定の外周箇所に偏荷重をかけた状態で、前記基板キャリアにより前記貼り合わせ基板の前記圧電基板を前記研磨定盤に押し付けながら前記基板キャリアを自転運動させて研磨を行うようにしてもよい。こうすれば、ＣＭＰにより効率よく貼り合わせ基板の圧電基板の露出面を研磨することができる。
【００１３】
本発明の複合基板は、一方の面が他方の面に対して傾斜した傾斜面である支持基板と、前記傾斜面に接合された厚さが均一な圧電基板と、を備えたものである。この複合基板は、上述した複合基板の製法によって容易に得ることができる。なお、「厚さが均一」とは、圧電基板の全面で厚さのバラツキ（＝１００×（最大厚さ−最小厚さ）／平均厚さ）が２．５％以下であることをいう。
【図面の簡単な説明】
【００１４】
【図１】複合基板１０の製造工程図。
【図２】研磨装置２０の斜視図。
【図３】複合基板１０の別の製造工程図。
【図４】比較例１の製造工程図。
【発明を実施するための形態】
【００１５】
以下に本発明の好適な実施形態について、図１及び図２を参照しながら説明する。図１は複合基板１０の製造工程図、図２は研磨装置２０の斜視図である。なお、図１では、各部材を縦断面図で示した。
【００１６】
本実施形態の複合基板１０の製法を説明するのに先立ち、この製法で使用する研磨装置２０について説明する。図２に示す研磨装置２０は、研磨パッド２４を備えた円盤状で径の大きな研磨定盤２２と、円盤状で径の小さな基板キャリア２６と、研磨砥粒を含むスラリーを研磨パッド２４へ供給するパイプ２８とを備えている。研磨定盤２２は、下面中央にシャフトを備えており、図示しない駆動モータでシャフトが回転駆動されることにより軸回転（自転）する。基板キャリア２６は、上面中央にシャフトを備えており、図示しない駆動モータでシャフトが回転駆動されることにより軸回転（自転）する。基板キャリア２６は、研磨定盤２２の中心からずれた位置に配置されている。この研磨装置２０で研磨対象基板Ｗを研磨するには、基板キャリア２６の下面に研磨対象基板Ｗを装着し、研磨定盤２２の研磨パッド２４と基板キャリア２６との間に研磨対象基板Ｗを挟み込む。そして、パイプ２８から研磨パッド２４に研磨砥粒を含むスラリーを供給する。すると、研磨対象基板Ｗと研磨定盤２２の研磨パッド２４との間にスラリーが供給される。この状態で、基板キャリア２６により研磨対象基板Ｗを研磨パッド２４に押し付けながら、研磨定盤２２及び基板キャリア２６を自転運動させて研磨を行う。
【００１７】
本実施形態の複合基板１０の製法は、図１に示すように、（ａ）支持基板１４の所定の外周箇所Ｐに偏荷重をかけた状態で支持基板１４の一方の面１４ａを研磨することにより、その一方の面１４ａを他方の面１４ｂに対して傾斜した傾斜面１４ｃとする工程と、（ｂ）支持基板１４の傾斜面１４ｃに圧電基板１２を接合して貼り合わせ基板１６とする工程と、（ｃ）貼り合わせ基板１６の圧電基板１２のうち支持基板１４の傾斜面１４ｃと接合している面１２ａとは反対側の露出面１２ｂが支持基板１４の他方の面１４ｂと平行になるように圧電基板１２を加工する工程と、（ｄ）貼り合わせ基板１６のうち支持基板１４の所定の外周箇所Ｐに偏荷重をかけた状態で圧電基板１２の厚みが均一になるように圧電基板１２を研磨して複合基板１０を得る工程と、を含むものである。以下に、各工程について詳細に説明する。
【００１８】
工程（ａ）では、研磨装置２０を用いて、図１（ａ）に示す支持基板１４を研磨する。支持基板１４は、圧電基板１２よりも熱膨張係数が小さい円板状の基板である。支持基板１４の材質としては、シリコン、サファイア、窒化アルミニウム、アルミナ、ホウ珪酸ガラス、石英ガラス、ＬＴ、ＬＮ、ニオブ酸リチウム−タンタル酸リチウム固溶体単結晶、ホウ酸リチウム、ＬＧＳ、水晶などが挙げられる。支持基板１４のサイズは、例えば、直径５０〜１５０ｍｍ、厚さ２００〜５００μｍである。研磨装置２０の研磨対象基板Ｗとして、この支持基板１４を基板キャリア２６の下面に装着する。このとき、支持基板１４の一方の面１４ａが研磨パッド２４と接触するように、支持基板１４を基板キャリア２６に装着する。また、基板キャリア２６の上面のうち支持基板１４の所定の外周箇所Ｐに対応する位置に錘３０を載せて偏荷重をかける。そして、その状態で基板キャリア２６により支持基板１４を研磨パッド２４に押し付けながら研磨定盤２２及び基板キャリア２６を自転運動させて支持基板１４の研磨を行う。この場合、支持基板１４のうち偏荷重がかかった所定の外周箇所Ｐの研磨量が多くなるため、所定の外周箇所Ｐの付近の厚みが他の箇所に比べて薄くなる。その結果、支持基板１４の一方の面１４ａが他方の面１４ｂに対して傾斜した傾斜面１４ｃとなる（図１（ｂ）参照）。
【００１９】
工程（ｂ）では、支持基板１４の傾斜面１４ｃに圧電基板１２の一方の面１２ａを接合して貼り合わせ基板１６とする（図１（ｃ）参照）。貼り合わせ基板１６のうち圧電基板１２の他方の面１２ｂ（接合面とは反対側の面）は露出面である。圧電基板１２は、弾性波を伝搬可能な円板状の基板である。圧電基板１２の材質としては、タンタル酸リチウム（ＬＴ）、ニオブ酸リチウム（ＬＮ）、ニオブ酸リチウム−タンタル酸リチウム固溶体単結晶、水晶、ホウ酸リチウム、酸化亜鉛、窒化アルミニウム、ランガサイト（ＬＧＳ）、ランガテイト（ＬＧＴ）などが挙げられる。このうち、ＬＴ又はＬＮが好ましい。ＬＴやＬＮは、弾性表面波の伝搬速度が速く、電気機械結合係数が大きいため、高周波数且つ広帯域周波数用の弾性波デバイスとして適しているからである。圧電基板１２のサイズは、例えば、直径５０〜１５０ｍｍ、厚さ２００〜５００μｍであるが、直径は支持基板１４と同じである。圧電基板１２の材質がＬＴ又はＬＮの場合には、支持基板１４の材質はシリコンが好ましい。ちなみに、熱膨張係数（ｐｐｍ／℃）は、ＬＴが１６．１，ＬＮが１５．４，シリコンが３である。
【００２０】
ここでは、両基板１２，１４を直接接合で接合してもよいし、有機接着剤を介して接合してもよい。両基板１２，１４を直接接合で接合する方法としては、例えば以下の方法が挙げられる。すなわち、まず、両基板１２，１４の接合面にアルゴン等の不活性ガスのイオンビームを照射することで、残留した不純物（酸化膜や吸着物等）を除去すると共に接合面を活性化させる。その後、真空中、常温で両基板１２，１４を貼り合わせる。なお、直接接合で貼り合わせる方法は、ここで示した方法以外に、プラズマや中性原子ビームを用いるなどしてもよく、特に限定されるものではない。一方、両基板１２，１４を有機接着剤を介して接合する場合には、まず、両基板１２，１４の接合面に有機接着剤を均一に塗布し、両者を重ね合わせた状態で有機接着剤を固化させることにより接合する。有機接着剤としては、例えばウレタン系やエポキシ系の接着剤などが挙げられる。なお、有機接着剤は両基板１２，１４のどちらか一方の接合面のみに塗布してもよい。
【００２１】
工程（ｃ）では、まず、貼り合わせ基板１２のうち支持基板１４の他方の面１４ｂを図示しない支持台に真空吸着により固定する。次に、圧電基板１２の露出面１２ｂを、まず砥石を装着したグラインダー（図示せず）で研削し、続いてラップ研磨機（図示せず）で研磨する。この加工は、圧電基板１２の露出面１２ｂが支持基板１４の他方の面１４ｂと平行になるまで行う（図１（ｄ）参照）。研削後の貼り合わせ基板１６は、上下両面が互いに平行になる。また、圧電基板１２の接合面１２ａは、露出面１２ｂに対して傾斜した面となり、支持基板１４の所定の外周箇所Ｐに対応する箇所の付近の厚みが他の箇所に比べて厚くなる。
【００２２】
工程（ｄ）では、研磨装置２０を用いて、図１（ｄ）に示す貼り合わせ基板１６を研磨する。なお、図１（ｅ）の貼り合わせ基板１６は、上下を逆にした以外は図１（ｄ）と同じである。研磨装置２０の研磨対象基板Ｗとして、貼り合わせ基板１６を基板キャリア２６の下面に装着する。このとき、貼り合わせ基板１６のうち圧電基板１２側が研磨パッド２４と接触するように、貼り合わせ基板１６を基板キャリア２６に装着する。また、基板キャリア２６の上面のうち支持基板１４の所定の外周箇所Ｐに対応する位置に錘３０を載せて偏荷重をかける。そして、その状態で基板キャリア２６により貼り合わせ基板１６のうち圧電基板１２を研磨パッド２４に押し付けながら研磨定盤２２及び基板キャリア２６を自転運動させて圧電基板１２の研磨を行う。この場合、圧電基板１２のうち偏荷重がかかった所定の外周箇所Ｐに対応する箇所の研磨量が多くなる。そのため、研磨するにつれて圧電基板１２の研磨面つまり露出面１２ｂは接合面１２ａと平行に近づき、ついには圧電基板１２の厚みが均一になり、図１（ｆ）の複合基板１０を得る。
【００２３】
この複合基板１０は、一方の面が他方の面１４ｂに対して傾斜した傾斜面１４ｃである支持基板１４と、その傾斜面１４ｃに接合された厚さが均一な圧電基板１２とを備えたものである。この圧電基板１２の厚さのバラツキ（＝１００×（最大厚さ−最小厚さ）／平均厚さ）は２．５％以下である。
【００２４】
以上詳述した本実施形態の複合基板１０の製法によれば、工程（ｄ）で圧電基板１２の研磨を偏荷重をかけて行うため、偏荷重をかけない場合に比べて圧電基板１２を安定した状態で研磨することができ、ひいては圧電基板１２の厚さの分布を小さく抑えることができる。
【００２５】
また、工程（ａ）や工程（ｄ）では、研磨装置２０によるＣＭＰを行うため、効率よく支持基板１４の一方の面１４ａや圧電基板１２の露出面１２ｂを研磨することができる。
【００２６】
更に、工程（ｃ）では、グラインダーにより圧電基板１２を研削するため、比較的短時間で圧電基板１２の露出面１２ｂを研削することができる。
【００２７】
なお、本発明は上述した実施形態に何ら限定されることはなく、本発明の技術的範囲に属する限り種々の態様で実施し得ることはいうまでもない。
【００２８】
例えば、上述した実施形態の工程（ｃ）では、貼り合わせ基板１６の圧電基板側をグラインダーで研削したあとラップ研磨を行ったが、ラップ研磨は省略してもよい。あるいは、圧電基板１２として厚みの薄い基板を用いた場合には、グラインダー研削を省略してもよい。
【００２９】
上述した実施形態において、グラインダーで研削しラップ研磨機で研磨した段階では、図３（ａ）に示すように、貼り合わせ基板１６の圧電基板側の表面（露出面１２ｂ）が支持基板１４の傾斜面１４ｃと平行になるように加工してもよい。その場合、図３（ｂ）〜（ｄ）に示すように、その後のＣＭＰで最終的に複合基板１０になるようにすればよい。すなわち、その後のＣＭＰでは、貼り合わせ基板１６のうち支持基板１４の所定の外周箇所Ｐに偏荷重をかけた状態で圧電基板１２を研磨する（図３（ｂ）参照）。このＣＭＰの初期には、圧電基板１２のうち支持基板１４の厚みの厚い部分（所定の外周箇所Ｐ）に対応する箇所が研磨パッドに当たり、徐々に薄い部分に対応する箇所にも研磨パッドが接触するようになる。したがって研磨途中では、支持基板１４の厚みの厚い場所では圧電基板１２の厚みが薄く、逆の場所では圧電基板１２の厚みが厚くなる。そして、研磨途中において、貼り合わせ基板１６の圧電基板側の表面が支持基板側の表面と平行になる（図３（ｃ）参照）。その時点で、圧電基板側の表面全面が研磨パッドに当たるようになるため、それ以後は、錘を載せた効果が現れ、圧電基板１２のうち支持基板１４の所定の外周箇所Ｐに対応する部分が重点的に削られるようになり、最終的に複合基板１０が得られる（図３（ｄ）参照）。このようにしても、本発明の効果が得られる。なお、この場合には、貼り合わせ基板１６の圧電基板側の表面をＣＭＰで加工する工程が、本発明の工程（ｃ）及び（ｄ）に相当する。
【実施例】
【００３０】
（実施例１）
図１の製造工程図にしたがって複合基板１０を作製した。具体的な手順を以下に説明する。
【００３１】
圧電基板として、両面が鏡面の厚み２３０μｍのＬＴ基板、支持基板として、一方の面が粗面で他方の面が鏡面の厚み２５０μｍのシリコン基板を用意した。まず、シリコン基板の鏡面側を基板キャリアにワックスで固定した。錫定盤を備えたラップ研磨機で砥粒の粒径が１／２μｍのダイヤモンドスラリーを供給しながらおよそ１５μｍ研磨加工を行った。次に、格子状に溝を形成したウレタンパッドを研磨パッドに用いて、図２の研磨装置でシリコン基板をＣＭＰ研磨した。その際、スラリーとしてはコロイダルシリカを用いた。また、基板キャリアの上面のうちシリコン基板の所定の外周箇所に対応する位置に重さ２２０ｇの錘を載せてＣＭＰ研磨を行った。約３０分後、シリコン基板を基板キャリアから取り外し、シリコン基板の形状を測定したところ、研磨した面は鏡面に対して傾斜しており、所定の外周箇所の部分が最も薄く、その反対側が最も厚かった。厚みは厚いところから薄いところまで直線的に変化し、その差は１．８μｍであった。
【００３２】
このシリコン基板とＬＴ基板をそれぞれ洗浄して表面の汚れを取った後、両基板を真空チャンバーに導入した。１０-6Ｐａ台の真空中でシリコン基板の傾斜面とＬＴ基板の片面にＡｒイオンビームを７０秒間照射した。ついで、両基板のビーム照射面を接触させた後、２００ｋｇｆの荷重をかけて両基板を接合し、貼り合わせ基板を得た。
【００３３】
この貼り合わせ基板を、まずグラインダー加工機でＬＴ基板の厚みが４０μｍになるまで加工した。次に、シリコン基板の表面を基板キャリアにワックスで固定し、先ほどと同様のラップ研磨機でＬＴ基板の厚みが３０μｍになるまで研磨加工を行った。研磨加工後、貼り合わせ基板の圧電基板側の表面は、シリコン基板側の表面と平行になった。
【００３４】
この貼り合わせ基板のＬＴ基板を、図２の研磨装置でＣＭＰ研磨した。このとき、基板キャリアの上面のうちシリコン基板の所定の外周箇所に対応する位置（シリコン基板が最も薄いところ）に１３０ｇの錘を載せてＣＭＰ研磨を行った。このＣＭＰ研磨では、錘を載せたことでＬＴ基板に偏荷重がかかっているため、その偏荷重がかかっているＬＴ基板の厚い部分が重点的に研磨された。最終的にＬＴ基板の全面で同じ厚みになるように錘の重さを適宜調整した。また、ＣＭＰ研磨の途中でＬＴ基板の厚みが所望の２５μｍになったか否かを確認し、２５μｍになるまで研磨を行った。
【００３５】
こうして得られた複合基板を基板キャリアから取り外し、ＬＴ基板の形状を測定したところ、ＬＴ基板の厚さのバラツキは２．１％であった。
【００３６】
（比較例１）
図４に示すように、実施例１のシリコン基板の代わりに両面が鏡面のシリコン基板を用い、そのシリコン基板と両面が鏡面のＬＴ基板とを直接接合して貼り合わせ基板を作製し、その貼り合わせ基板のＬＴ基板側をグラインダーで研削し、ラップ研磨したあと、錘を用いることなく最終的にＬＴ基板の厚みが２５μｍとなるようにＣＭＰ研磨した。得られた複合基板のＬＴ基板の形状を測定したところ、ＬＴ基板の厚さのバラツキは８．２％であった。
【符号の説明】
【００３７】
１０  複合基板、１２  圧電基板、１２ａ  一方の面（接合面）、１２ｂ  他方の面（露出面）、１４  支持基板、１４ａ  一方の面、１４ｂ  他方の面、１４ｃ  傾斜面、１６  貼り合わせ基板、２０  研磨装置、２２  研磨定盤、２４  研磨パッド、２６  基板キャリア、２８  パイプ、３０  錘。
【図１】
2015159499.tif 000003
【図２】
2015159499.tif 000004
【図３】
2015159499.tif 000005
【図４】
2015159499.tif 000006